(57)【要約】【課題】複数のタイマー設定をわかりやすく表示する。【解決手段】個々に時刻設定可能な複数のタイマー手段５ｂｂａ、５ｂｂｂと、タイマーを選択するタイマー選択手段５ｂｄｂと、選択状態を表示する選択状態表示手段とを備え、タイマー選択手段５ｂｄｂによりタイマー選択状態を変更した場合に、選択状態表示手段に関連付けてタイマーの設定状態を表示するタイマー設定状態表示手段を持つタイマー装置であり、これによって、タイマーの選択状態を変更したときに、タイマーの設定状態を表示するので、即座にタイマー設定を確認することができる。【選択図】図６
2005315690.tif 000002
【特許請求の範囲】
【請求項１】
個々に時刻設定可能な複数のタイマー手段と、タイマーを選択するタイマー選択手段と、選択状態を表示する選択状態表示手段とを備え、前記タイマー選択手段によりタイマー選択状態を変更した場合に、前記選択状態表示手段に関連付けてタイマーの設定状態を表示するタイマー設定状態表示手段を持つことを特徴とするタイマー装置。
【請求項２】
個々に時刻設定可能な複数のタイマー手段を持つ複数の端末機器と、前記複数の端末機器と通信手段により接続され、少なくとも操作手段と表示手段と備える情報端末とを持つ端末制御システムにおいて、前記情報端末は、複数の端末機器毎に複数のタイマー手段から動作させるタイマー手段を選択するタイマー選択手段と、選択状態を表示する選択状態表示手段とを備え、前記操作手段を用いて前記タイマー選択手段を操作しタイマー選択状態を変更した場合に、変更されたタイマー手段を持つ端末機器の選択状態表示手段に関連付けてタイマーの設定状態を前記表示手段に表示するタイマー設定状態表示手段を持つことを特徴とするタイマー装置。
【請求項３】
タイマー設定状態表示手段は、変更されたタイマー手段のタイマー選択手段の表示位置に合わせて表示位置を変える請求項１または２に記載のタイマー装置。
【請求項４】
タイマー設定状態表示手段は、変更されたタイマー手段のタイマー選択手段の表示色に応じて表示色を変更する請求項１または２に記載のタイマー装置。
【請求項５】
タイマー設定状態表示手段は、変更されたタイマー手段のタイマー選択手段と図形を用いて結び付けて表示する請求項１または２に記載のタイマー装置。
【請求項６】
タイマー設定状態表示手段は、表示された後一定時間後に表示手段から消える請求項１または２に記載のタイマー装置。
【請求項７】
タイマー設定状態表示手段は、タイマー時刻設定状態を変更する手段を呼び出すための、時刻変更表示手段を持つ請求項１または２に記載のタイマー装置。
【請求項８】
請求項１〜７のいずれか１項に記載のタイマー装置の少なくとも一部をコンピュータに実現させるためのプログラムおよびその記録媒体。
【発明の詳細な説明】
【技術分野】
【０００１】
本発明は本発明は本発明は本発明は家電機器や設備機器を時刻に応じて制御させるタイマー装置に関するものである。
【背景技術】
【０００２】
従来のタイマー装置について説明する。従来のタイマー装置として温水暖房機の操作装置に用いられたタイマー装置では以下のようになっていた（例えば、特許文献１参照）。前記従来例の操作装置の外観図を図１３、液晶表示部の拡大図を図１４に示す。図１３において、３１は操作装置のケース、３２は温水暖房機の設定温度を変更する温度設定手段、３３は温水暖房機の連続運転の開始／停止を指示する運転スイッチ、３４はタイマー運転の開始／停止を指示するタイマースイッチ、３５は連続運転時に点灯する連続モード表示手段、３６はタイマー運転時に点灯するタイマーモード表示手段、３７は温水暖房機の点検モードのときに点灯する点検モード表示手段、３８はタイマーモードにおいて温水暖房機を動作させる時刻を設定する時刻設定手段、３９はタイマーの設定状態や現在時刻を表示する液晶表示部である。このうち、時刻設定手段３８は運転開始時刻を設定するための開始時刻設定部３８ａと停止時刻設定部３８ｂと現在時刻設定部３８ｃとからなり、開始時刻設定部３８ａと停止時刻設定部３８ｂはそれぞれ設定時刻を進ませる＋ボタン３８ａａ、３８ｂａと設定時刻を戻させる−ボタン３８ａｂ、３８ｂｂとからなる。現在時刻設定部３８ｃは時刻あわせボタンである。現在時刻設定は時刻の変更を開始時刻設定部３８ａを用いて行いて時刻を変更し、時刻合わせボタン３８ｃを押すことにより、開始時刻設定部３８ａにより設定された時間が現在時刻として設定される。
【０００３】
また、液晶表示部３９は現在時刻表示部３９ａとタイマー時刻表示部３９ｂとからなっている。タイマー時刻表示部３９ｂは、温水暖房機のタイマー設定を、時刻目盛りとして円周上に０と２２までの偶数の数字と１２個の奇数を表すための点とを交互（順番）に配置した印字パターンと、この円周上に配置した印字パターンの内側に扇形の２４個の表示素子を隣り合わせて配置した表示パターンとからなる。扇形の表示素子は１素子が１時間に相当し、タイマー設定を行うと設定された切時刻の表示素子３９ｂａおよび入時刻の表示素子３９ｂｂを点灯もしくは点滅させ、また、切時刻と入り時刻の間の表示素子３９ｂｃをすべて点灯させることにより、タイマー運転開始時刻およびタイマー運転停止時刻を一目で区別させたり確認したりできる。
【０００４】
また、別の従来例では、従来のタイマー装置として温水暖房機の操作装置に用いられたタイマー装置を示す（例えば、特許文献２参照）。前記従来例では暖房用の放熱器に温水を供給して室内暖房を行う温水式暖房装置において、予め設定された少なくとも２つ以上の時間帯に予め設定された温水温度にて暖房運転を行うタイマー運転設定手段を備えることにより、特に終日暖房を必要とする寒冷地域にあっては、運転時間帯に応じて各々暖房温度を好適に設定した２４時間の連続運転が行えるため、従来のように暖房ＯＮ時の暖め過ぎ感や暖房ＯＦＦ時の冷え過ぎ感の無い快適暖房を維持しつつ、省エネ運転を実現できるものである。この従来例の液晶表示部３９の表示は、図１５に示すように、半径方向に４０℃から８０℃までの運転時の温水温度表示３９ｂｄ、円周方向に時間帯表示３９ｂｅを示すことにより、時間帯と温度を一目で分かるように表示できるようになっていた。
【特許文献１】特開平０９−２４３４１７５号公報
【特許文献２】特開２０００−２４０９５２号公報
【発明の開示】
【発明が解決しようとする課題】
【０００５】
しかしながら、前記従来の構成では、複数のタイマー手段を持つタイマー装置において、現在の設定状態を分かりやすく表示して、タイマー運転がどのようになされるのかを直感的に把握することが困難であるという課題があった。特開平０９−２４３４１７５号公報のタイマー装置では、タイマーは一つであり、複数のタイマーを用いて様々な設定を行う場合の分かりやすい表示方法は開示されていない。また、特開２０００−２４０９５２号公報のタイマー装置では、時間毎に温度を変更して連続運転する場合の表示方法は開示されているが、複数のタイマーを分かりやすく表示したり、タイマーの選択状態や現在の設定状態を表示しながらタイマーの設定時刻を変更したり、設定内容を変更したりする方法は開示されてなかった。
【０００６】
本発明は、前記従来の課題を解決するもので、複数のタイマー設定を行う際に、タイマーの設定状態を確認することができるタイマー装置を提供することを目的とする。
【課題を解決するための手段】
【０００７】
前記従来の課題を解決するために、個々に時刻設定可能な複数のタイマー手段と、タイマーを選択するタイマー選択手段と、選択状態を表示する選択状態表示手段とを備え、タイマー選択手段によりタイマー選択状態を変更した場合に、選択状態表示手段に関連付けてタイマーの設定状態を表示するタイマー設定状態表示手段を持つこととしたものである。
【０００８】
これによって、タイマーの選択状態を変更したときに、タイマーの設定状態を表示するので、即座にタイマー設定を確認することができる。
【発明の効果】
【０００９】
本発明のタイマー手段は、タイマーの選択状態を変更したときに、タイマーの設定状態を表示するので、即座にタイマー設定を確認することができる。
【発明を実施するための最良の形態】
【００１０】
第１の発明は、個々に時刻設定可能な複数のタイマー手段と、タイマーを選択するタイマー選択手段と、選択状態を表示する選択状態表示手段とを備え、タイマー選択手段によりタイマー選択状態を変更した場合に、選択状態表示手段に関連付けてタイマーの設定状態を表示するタイマー設定状態表示手段を持つことにより、タイマーの選択状態を変更したときに、タイマーの設定状態を表示するので、即座にタイマー設定を確認することができる。
【００１１】
第２の発明は、個々に時刻設定可能な複数のタイマー手段を持つ複数の端末機器と、前記複数の端末機器と通信手段により接続され、少なくとも操作手段と表示手段と備える情報端末とを持つ端末制御システムにおいて、情報端末は、複数の端末機器毎に複数のタイマー手段から動作させるタイマー手段を選択するタイマー選択手段と、選択状態を表示する選択状態表示手段とを備え、前記操作手段を用いてタイマー選択手段を操作しタイマー選択状態を変更した場合に、変更されたタイマー手段を持つ端末機器の選択状態表示手段に関連付けてタイマーの設定状態を前記表示手段に表示するタイマー設定状態表示手段を持つことにより、複数の端末機器と各端末機器ごとに設定される複数のタイマー手段の選択状態を変更するときに、表示手段にタイマー選択手段に関連付けてタイマー時刻設定を表示するので、タイマー選択時に複数の端末機器にそれぞれ設定される複数のタイマーの設定を容易に認識することができる。
【００１２】
第３の発明は、第１の発明または第２の発明のタイマー設定状態表示手段が、変更されたタイマー手段のタイマー選択手段の表示位置に合わせて表示位置を変えることにより、複数の端末機器それぞれに設定される複数のタイマー手段の選択状態を変更するときに、タイマー選択手段の表示位置に合わせてタイマー設定状態表示手段の表示位置を変更するので、タイマー選択時に複数の端末機器にそれぞれ設定される複数のタイマーの設定を容易に認識することができる。
【００１３】
第４の発明は、第１の発明または第２の発明のタイマー設定状態表示手段が、変更されたタイマー手段のタイマ選択手段の表示色に応じて表示色を変えることにより、複数の端末機器と各端末機器ごとに設定される複数のタイマー手段の選択状態を変更するときに、表示手段にタイマー選択手段の表示色に応じてタイマー設定状態表示手段の表示色を変更するので、タイマー選択時に複数の端末機器にそれぞれ設定される複数のタイマーの設定を容易に認識することができる。
【００１４】
第５の発明は、第１の発明または第２の発明のタイマー設定状態表示手段が、変更されたタイマー手段のタイマ選択手段と図形を用いて結び付けて表示することにより、複数の端末機器と各端末機器ごとに設定される複数のタイマー手段の選択状態を変更するときに、表示手段にタイマー選択手段と図形を用いて結び付けて表示するので、タイマー選択時に複数の端末機器にそれぞれ設定される複数のタイマーの設定を容易に認識することができる。
【００１５】
第６の発明は、第１の発明または第２の発明のタイマー設定状態表示手段は、表示された後一定時間後に表示手段から消えることにより、人が設定状態を確認するための時間経過後に表示手段から消えるので、必要なときのみ表示し、他の操作への影響を少なくすることができる。
【００１６】
第７の発明は、第１の発明または第２の発明のタイマー設定状態表示手段は、タイマー時刻設定状態を変更する手段を呼び出すための、時刻変更表示手段を持つことにより、タイマー設定状態表示手段が表示したタイマー設定状態を変更したいときに即座にタイマー時刻変更手段を表示させることが可能で、変更したいときに簡単に変更できる。
【００１７】
第８の発明は、第１〜７のいずれか１つの発明のタイマー装置の少なくとも一部をコンピュータに実現させるためのプログラムおよびその記録媒体である。そして、プログラムであるのでＣＰＵ（マイコン）、ＲＡＭ、ＲＯＭ、記憶装置、Ｉ／Ｏなどを備えた電気情報機器、コンピュータ、サーバー等のハードリソースを協働させて本発明資源供給システムの少なくとも一部を容易に実現することができる。また記録媒体に記録したり通信回線を用いてプログラムを配信したりすることでプログラムの配布やインストール作業が簡単にできる。
【００１８】
以下本発明の実施の形態について、図面を参照しながら説明する。なお、この実施の形態によって本発明が限定されるものではない。
【００１９】
（実施の形態１）
本発明の実施の形態１のタイマー装置を図面とともに説明する。
【００２０】
実施の形態１のタイマー装置は床暖房機の床暖房リモコンに用いた例を示す。図１は本発明の実施の形態１の温水床暖房システムの全体ブロック図、図２〜７はシステムの構成要素毎の詳細ブロック図、図８はタイマー装置が搭載された床暖房リモコンの外観図、図９は操作手段生成手段のフローチャート、図１０〜図１２は表示手段へのタイマー表示図である。図１に示すように本実施の形態のタイマー装置は、台所に設置され温水温度の制御を行う台所リモコン１、浴室に設置され温水温度の制御を行う浴室リモコン２、カランやシャワーへの給湯やふろの沸き上げ、床暖房機への温水資源供給を行う熱源機３、熱源機３から供給される温水により浴室を暖房する端末機器である浴室暖房機４、熱源機３から供給される温水により部屋の床面を暖房する端末機器である第１の温水床暖房機５、第２の温水床暖房機６、第３の床暖房機７および第４の温水床暖房機８である。台所リモコン１と浴室リモコン２と熱源機３との間は熱源機制御通信手段１１により接続されて台所リモコン１及び浴室リモコン２から熱源機３の操作を行なう。
【００２１】
図５のように、浴室暖房機４は浴室を暖房する浴室暖房温水配管４ａと温水の供給を制御する浴室暖房リモコン４ｂとからなり、また、図６のように、第１の床暖房機５は床面に埋め込まれて配設される床暖房温水配管５ａと温水の供給を制御する床暖房リモコン５ｂとからなる。さらに、図７のように、第２の床暖房機６と第３の床暖房機７は、それぞれ床面に埋め込まれて配設される床暖房温水配管６ａ、７ａ、８ａからなり、温水の供給を制御する床暖房リモコンの機能は台所リモコン１が持っている。
【００２２】
図１のように、熱源機３と浴室暖房リモコン４ｂと床暖房リモコン５ｂとは機器通信手段１２により接続され、浴室暖房リモコン４ｂと床暖房リモコン５ｂの操作内容や熱源機３の運転状況などの通信を行い、また、熱源機３と浴室暖房温水配管４ａと床暖房温水配管５ａとは熱源機３が生成する温水を供給するための暖房温水配管２３で接続され、浴室暖房リモコン４ｂや床暖房リモコン５ｂの操作により熱源機３から温水を供給する。
【００２３】
また、台所リモコン１は、図２のように、台所リモコン１を制御する台所リモコン制御手段１ａ、台所リモコン１を操作する台所リモコン操作手段１ｂ、熱源機３の動作状況など必要な情報を表示する台所リモコン表示手１ｃ、あらかじめ登録されたデータや浴室リモコン２から受信したデータを記憶する台所リモコン記憶手段１ｄ、浴室リモコン２や熱源機３と通信して熱源機の制御を行なうための通信を行なう台所リモコン熱源機通信手段１ｅ、台所リモコン操作手段１ｂと台所リモコン表示手段１ｃとを用いて熱源機に接続された端末機器の切／入の操作を行うための操作手段である端末機器操作手段１ｈ、端末機器操作手段１ｈを構成するための操作手段構成手段１ｉ、第２の床暖房機６と第３の床暖房機を制御する床暖房制御手段１ｊとからなる。
【００２４】
また、浴室リモコン２は、図３のように、浴室リモコン２を制御する浴室リモコン制御手段２ａ、浴室リモコン２を操作する呼び出し手段である浴室リモコン操作手段２ｂ、熱源機３の動作状況など必要な情報を表示する浴室リモコン表示手段２ｃ、あらかじめ登録されたデータや台所リモコン１から受信したデータを記憶する浴室リモコン記憶手段２ｄ、台所リモコン１や熱源機３と通信して熱源機の制御を行なうための通信を行なう浴室リモコン熱源機通信手段２ｅからなる。
【００２５】
また、熱源機３は、図４のように熱源機３を制御する熱源機制御手段３ａ、台所リモコン１および浴室リモコン２と通信して操作情報の受信や運転状況の送信を行なう熱源機リモコン通信手段３ｂ、熱源機制御手段３ａの指示により温水を生成する熱交換器３ｃ、熱交換器の温水の流量を検出する流量センサ３ｄ、熱交換器３ｃの燃焼の有無を検出する燃焼センサ３ｅ、ふろの湯量を検出するふろ湯量センサ３ｆ、ふろの湯温を検出するふろ湯温センサ３ｇ、浴室暖房リモコン４ｂや床暖房リモコン５ｂと通信して操作情報の受信や運転状況の送信を行う熱源機機器通信手段３ｈ、給湯温水配管２１に接続しカランやシャワーなどに温水を給湯する給湯温水供給手段３ｉ、ふろ温水配管２２に接続しふろの湯沸しや追い炊きを行うふろ温水供給手段３ｊ、暖房温水配管１３に接続し浴室暖房機４や床暖房機５へ温水を供給する暖房温水供給手段３ｋとからなる。
【００２６】
また、図５のように、浴室暖房機４は、前述のように浴室暖房温水配管４ａと浴室暖房リモコン４ｂとからなり、浴室暖房温水配管４ａは暖房温水配管２３に接続されて温水を通すことにより床面を温める浴室暖房を行う。浴室暖房リモコン４ｂは、浴室暖房の機能を制御する浴室暖房制御手段４ｂａ、運転状況を表示する浴室暖房表示手段４ｂｂ、浴室暖房機能の操作を行う浴室暖房操作手段４ｂｃ、機器通信手段１２を通じて熱源機３との通信を行う浴室暖房機器通信手段４ｂｄとからなり、熱源機３に対して機器通信手段１２を通じて通信して制御情報を送信し、浴室暖房機４への温水の供給を制御する。
【００２７】
また、第１の床暖房機５は、図６のように、前述のように床暖房温水配管５ａと床暖房リモコン５ｂとからなり、床暖房温水配管５ａは暖房温水配管２３に接続されて温水を通すことにより床面を温める床暖房を行う。床暖房リモコン５ｂは、床暖房の機能を制御する床暖房制御手段５ｂａ、あらかじめ設定された時刻に設定された内容に基づいて運転をＯＮしたりＯＦＦしたりする複数のタイマー手段である第１のタイマー手段５ｂｂａおよび第２のタイマー手段５ｂｂｂ、運転状況やタイマー設定状態等を表示する表示手段である床暖房表示手段５ｂｃ、床暖房機能の操作を行う床暖房操作手段５ｂｄ、機器通信手段１２を通じて熱源機３との通信を行う床暖房機器通信手段５ｂｅ、実時間を計時する現在時刻認知手段である計時手段５ｂｆ、床暖房操作手段５ｂｄから設定されたタイマーの設定時刻を記憶する床暖房記憶手段５ｂｇとからなり、さらに、床暖房操作手段５ｂｄは、図８に示すように、暖房運転のＯＮ／ＯＦＦを操作する運転ボタン５ｂｄａ、タイマー運転のＯＮ／ＯＦＦを操作するタイマー運転ボタン５ｂｄｂ、一回押すごとに暖房温度を増加させたり時刻を進める増加ボタン５ｂｄｃ、一回押すごとに暖房温度を減少させたり時刻を遅らせる減少ボタン５ｂｄｄ、二つのタイマー手段５ｂｃａ、５ｂｃｂのうち時刻設定を行うタイマーを選択する時刻設定タイマー選択手段５ｂｄｅ、切時刻と入時刻のうちどちらの時刻を設定するかを選択する切入時刻選択手段５ｂｄｆ、入力した時刻を確定する確定ボタン５ｂｄｇ、現在時刻を入力する際に用いる現在時刻ボタン５ｂｄｈとからなる。このうち、タイマー運転ボタンはボタンを押すたびにタイマー１と２の両方を動作させるタイマー１＋２モード、タイマー１単独で動作させるタイマー１モード、タイマー２を単独で動作させるタイマー２モード、タイマー運転をしないタイマー切を順次ローテーションで切り替える有効タイマー選択手段として動作する。また、床暖房表示手段５ｂｃには、現在時刻またはタイマー設定時刻を表示する時刻表示部５ｂｃａ、現在選択されているタイマーを表示する選択タイマー表示部５ｂｃｂ、二つのタイマーの設定時刻を一周で２４時間を表示し、外側をタイマー１、内側をタイマー２とする二重円上に示すタイマー設定時刻表示部５ｂｃｃ、タイマー設定時刻表示部に計時手段５ｂｆが計時した実時間を用いて現在時刻を示すためのバー表示を行う現在時刻表示手段５ｂｃｄ、床暖房の温度設定を表示する設定温度表示部５ｂｃｅとからなっている。また、床暖房機器通信手段５ｂｅは熱源機３に対して機器通信手段１２から通信して制御情報を送信し、床暖房機５への温水の供給を制御する。
【００２８】
また、第２の床暖房機６、第３の床暖房機７および第４の床暖房機８は、図７に示すように、それぞれ、第２の床暖房温水配管６ａ、第３の床暖房温水配管７ａおよび第４の床暖房温水配管８ａのみからなり、第２の床暖房温水配管６ａと第３の床暖房温水配管７ａと第４の床暖房温水配管８ａは暖房温水配管２３に接続されて温水を通すことにより床面を温める床暖房を行う。
【００２９】
第２の床暖房機６および第３の床暖房機の操作は台所リモコン１を用いて行われ、台所リモコン１の操作手段構成手段１ｉにより構成された操作手段を用いて操作し、操作手段の操作結果に応じて床暖房制御手段１ｊが熱源機制御通信手段２２を通じ熱源機に制御信号を送信することにより制御を行なう。
【００３０】
なお、熱源機３の熱源機器通信手段３ｈの複数のコネクタのうち第２の床暖房温水配管６ａ、第３の床暖房温水配管７ａおよび第４の床暖房温水配管８ａに接続された低温端末接続配管に１対１で対応したコネクタへ床暖房リモコンが無い端末を接続していることを示すケーブルを装着し、熱源機３はケーブルの装着を認識することによりこの端末機器は床暖房リモコンがなく台所リモコン１から操作される機器であることを認識し、台所リモコン１へその情報を送信している。
【００３１】
以上の構成による作用を示す。
【００３２】
熱源機設置住宅の住人が台所で温水を利用する場合、まず台所リモコン操作手段１ｂの運転ボタン（図示せず）を押すと、台所リモコン熱源機通信手段１ｅから熱源機制御通信手段１１を通じて熱源機３へ伝達され、熱源機３は熱源機リモコン通信手段３ｂにより受信した運転ＯＮ指示の電文により熱源機制御手段３ａが熱源機の運転をＯＮする。この状態で、台所の給湯温水のカラン（図示せず）を開くと熱源機の温水給湯配管２１が開き熱源機の給湯温水路に上水道から供給された水が流れ、給湯温水配管２１に設置された流量センサ３ｄが給湯温水配管２１の水流を検出して熱交換器を点火し燃焼による給湯用温水の生成を開始する。熱交換器の燃焼は燃焼センサ３ｅにより検出され、燃焼中であるという情報が熱源機リモコン通信手段３ｂから熱源機制御通信手段１１により台所リモコン１と浴室リモコン２とに送信され、台所リモコン１と浴室リモコン２では台所リモコン熱源機通信手段１ｅ、浴室リモコン熱源機通信手段２ｅが受信したデータに基づき、台所リモコン表示手段１ｃ、浴室リモコン表示手段２ｃに燃焼マークを表示して、熱源機３の給湯燃焼を報知する。熱交換器３ｃで生成された給湯温水は給湯温水配管２１を経て台所のカランから流出する。カランを閉じると、給湯温水配管２１と熱源機３の給湯温水配管２１の水流が停止し、流量センサ３ｄが水流の停止を検出し、熱交換器３ｃを消火し給湯温水の生成を停止する。燃焼が停止したことを燃焼センサ３ｅが検出すると、燃焼中でないという情報が熱源機リモコン通信手段３ｂから熱源機制御通信手段１１により台所リモコン１と浴室リモコン２に送信され、台所リモコン１と浴室リモコン２では台所リモコン熱源機通信手段１ｅ、浴室リモコン熱源機通信手段２ｅが受信したデータに基づき、台所リモコン表示手段１ｃ、浴室リモコン表示手段２ｃに表示されている燃焼マークを消去し、燃焼中でないことを明示する。
【００３３】
一方、ふろを沸かす場合では、台所リモコン操作手段１ｂのふろ自動ボタン（図示せず）を押すと、ふろ自動運転を開始する。ふろ自動ボタンを押してふろ自動を運転ＯＮさせる指示は、台所リモコン熱源機通信手段１ｅから熱源機制御通信手段１１を通じて熱源機３へ伝達され、熱源機３は熱源機リモコン通信手段３ｂにより受信したふろ自動ＯＮ指示の電文により熱源機制御手段３ａが熱源機のふろ自動運転を開始する。ふろ自動では、ふろの残り湯の状況に応じて水量が設定水量に足りない場合は給湯温水供給手段３ｉからふろ温水配管２２へ温水を供給しながらあらかじめ設定された水量のお湯を張り、ふろ温水供給手段３ｊにより温水を循環させてふろ湯温をあらかじめ設定された温度に調整し、あらかじめ設定された水量と湯温に到達するとお湯張りが完了して保温へ移行する。保温では、ふろ湯温センサ３ｇにより湯温の低下を検出するとふろのお湯をふろ温水配管２２からふろ温水供給手段３ｊを通じて熱交換器３ｃへ導いて循環させ湯温を上げる追い炊きを行ない、設定された湯温に戻すという動作を繰り返し、あらかじめ設定された保温時間の間、この動作を継続する。このような熱源機３の動作内容は熱源機制御通信手段１１により熱源機３から台所リモコン１および浴室リモコン２へ送信され、台所リモコン１と浴室リモコン２では台所リモコン熱源機通信手段１ｅ、浴室リモコン熱源機通信手段２ｅが受信したデータに基づき、熱源機３の運転状況に応じた表示を台所リモコン表示手段１ｃ、浴室リモコン表示手段２ｃに行なう。
【００３４】
カランから出湯するお湯の温度、ふろ自動で用いるお湯張り水量、温度はあらかじめ台所リモコン１または浴室リモコン２の各リモコン操作手段により入力されて熱源機制御通信手段１１を通じて熱源機３へ送信され、熱源機記憶手段３ｌにより設定値を記憶する。浴室リモコン２または台所リモコン１で設定されるたびに熱源機３に送信され、新しい設定値が送信されるたびに設定値を入れ替える。
【００３５】
また、浴室暖房リモコン４ｂから浴室暖房機４を操作する場合には、浴室暖房操作手段４ｂｃを操作して運転を開始すると、運転開始の情報が浴室暖房機器通信手段４ｂｄにより熱源機３に伝達され、熱源機３では熱源機機器通信手段３ｈが受信した電文に基づいて暖房温水供給手段３ｋを動作させて暖房温水配管２３を経て浴室暖房温水配管４ａへ温水を供給する。運転の状況は浴室暖房表示手段４ｂｂへ表示され、浴室暖房の運転状況を確認できる。
【００３６】
また、床暖房リモコン５ｂから床暖房機５を操作する場合には、床暖房操作手段５ｂｄを操作して運転を開始すると、運転開始の情報が床暖房機器通信手段５ｂｅにより熱源機３に伝達され、熱源機３では熱源機機器通信手段３ｈが受信した電文に基づいて暖房温水供給手段３ｋを動作させて暖房温水配管２３を経て床暖房温水配管５ａへ温水を供給する。運転の状況は床暖房表示手段５ｂｃへ表示され、床暖の運転状況を確認できる。
【００３７】
本実施例の床暖リモコン５ｂは、第１のタイマー手段５ｂｂａと第２のタイマー手段５ｂｂｂとの２つのタイマー手段を持ち、有効タイマー選択手段の機能を持つタイマー運転ボタンの操作でタイマー１単独、タイマー２単独、タイマー１とタイマー２の組み合わせでタイマー運転を行うことができる。また、二つのタイマーがそれぞれ個別に、運転入から切とする切時刻のみを設定する切タイマーモード、運転切から入とする入時刻のみを設定する入タイマーモード、入時刻と切時刻の両方を設定する切／入タイマーモードの３つのモードを持っており、これらの３つのモードを持つ２つのタイマーを単独または組み合わせてタイマー設定を行うことにより様々なタイマー設定が可能になっている。例えば、第１のタイマーを入時刻６時、切時刻９時の切／入タイマーモード、第２のタイマーを入時刻７時、切時刻２３時の切／入タイマーモードに設定してタイマー１＋２モードでタイマー運転させると、朝６時の起床時から９時の外出時までと夕方７時の帰宅時から２３時の就寝時までの運転を行い、１日の生活パターンに合わせた運転を自動で行うことができる。
【００３８】
また、第１のタイマーを入時刻５時半、切時刻設定なしの入タイマーモード、第二のタイマーを入時刻７時、切時刻設定なしの入タイマーモードに設定しておき、平日は早めに起きるので入時刻の早いタイマー１の単独運転のタイマー１モードとしておき、土日は朝もゆっくり寝ているので入時刻の遅いタイマー２の単独運転であるタイマー２モードにタイマー運転ボタンを用いて切り替えるだけで、一週間の曜日ごとの生活時間の変化に合わせて簡単にタイマー設定を変更できる。このような使用方法により、寝ている時間に運転させてしまい無駄なエネルギーを使ってしまったり、逆に平日など早く起きる日に入時刻より早く目覚めて寒い思いをすることがなく、使用者の様々な生活習慣に適合させたタイマー運転を実現できる。
【００３９】
このような複雑な機能を床暖房操作手段５ｂｄを用いて操作するためのフローチャートを図９に示す。なお、この図では、各処理が終わったり、記載されてないボタンを押すと初期状態１００に戻る。まず、初期状態１００から床暖房操作手段５ｂｄのいずれかのボタンが押下される１０１と、各ボタンがそれぞれ初期に割り当てられた操作を行う。運転ボタン５ｂｄａが押下されると運転の切／入を切替を行い初期状態に戻る（１０２）。タイマーボタン５ｂｄｂが押下されるとその度にタイマー１＋２モード、タイマー１モード、タイマー２モード、タイマー切の間でローテンションでタイマーが選択され、選択された状態でタイマー運転を開始し初期状態に戻る（１０３）。増加ボタン５ｂｄｃを押下すると設定温度を増加させ（１０５）、減少ボタン５ｂｄｄを押下すると設定温度を減少させる（１０６）。
【００４０】
また、現在時刻ボタン５ｂｄｈを押下すると、次のボタン押下を待ち（１０７）、増加ボタンを押すと現在時刻を進め（１１３）、減少ボタン５ｂｄｄを押すと現在時刻を戻し（１１４）再び１０７に戻る。確定ボタン５ｂｄｇが押下されると現在時刻を変更した時刻に確定（１１５）して初期状態に戻る。また、１００でタイマー選択ボタン５ｂｄｅを押下するとタイマー時刻設定を始めボタンの押下を待つ（１０４）。ここで、増加ボタン５ｂｄｃを押下するとタイマー１の入時刻を進め（１０８）、減少ボタン５ｂｄｄを押下するとタイマー１の入時刻を遅らせ（１０９）、１０４に戻り、確定ボタン５ｂｄｇ押下でタイマー１の入時刻を確定（１１０）し１００に戻る。１０４で切／入選択ボタン５ｂｄｆを押すとタイマー１の切時刻の設定となってボタンの押下を待ち（１１１）、増加ボタン５ｂｄｃを押下するとタイマー１の切時刻を進め（１１６）、減少ボタン５ｂｄｄを押下するとタイマー１の切時刻を遅らせて（１１７）、１１１へ戻り、確定ボタン５ｂｄｇ押下でタイマー１の切時刻を確定（１１８）し１００に戻る。１０４でタイマー選択ボタン５ｂｄｅを押下するとタイマー２の時刻設定となってボタンの押下を待ち（１１２）、増加ボタン５ｂｄｃを押下するとタイマー２の入時刻を進め（１１９）、減少ボタン５ｂｄｄを押下するとタイマー２の入時刻を遅らせ（１２０）１１２に戻り、確定ボタン５ｂｄｇ押下でタイマー２の入時刻を確定（１２１）し１００に戻る。１１２で切／入選択ボタン５ｂｄｆを押下するとタイマー２の切時刻の設定となってボタンの押下を待ち（１１８）、増加ボタン５ｂｄｃを押下するとタイマー２の切時刻を進め（１２３）、減少ボタン５ｂｄｄを押下するとタイマー２の切時刻を遅らせ（１２４）、１１８に戻り、確定ボタン５ｂｄｇ押下でタイマー２切時刻を確定（１２５）し１００に戻る。
【００４１】
なお、切／入タイマーモード、切タイマーモード、入タイマーモードの切替は、入タイマまたは切タイマの解除操作により残った不要なタイマを解除することによって行う。設定されたタイマーを解除して切／入タイマーモードから切タイマーモードまたは入タイマーモードに変更したりする場合は、増加ボタンまたは減少ボタンを押して設定時刻を変更する時に、設定時刻に−−：−−が表示されたとき確定ボタンを押すと現在設定中の切時刻または入時刻が解除されるようになっている。このような操作により、二つのタイマーの入り時刻と切時刻の設定が行えるようになっている。
【００４２】
本実施の形態の第２の床暖房機６、第３の床暖房機７、第４の床暖房機８の操作は、複数の床暖房機能を操作するための床暖房リモコン機能を持っている台所リモコン１を用いて行う。台所リモコン１においても床暖房リモコン５と同様な操作ができるようにしてある。この機能により、台所リモコンがあれば床暖房配管を行うだけで床暖房リモコンを準備することなく床暖房機能を実現できるようにしている。これによって、床暖房リモコンを削減することが可能であり、コストの削減やリモコン設置場所の制約を少なくできる。さらに、複数の床暖房リモコンを一つの端末で操作できるので、一つの画面で複数の床暖房リモコンの操作を行うようにすることも可能である。図１０に本実施の形態の台所リモコン１における表示手段１ｃに表示させるの床暖タイマー設定画面を示す。この画面では、台所リモコン２から操作する床暖房Ａ（６ｂ）、床暖房Ｂ（７ｂ）、床暖房Ｃ（８ｂ）の３つの床暖房のタイマーを設定できる。なお、本実施の形態では、第２の床暖房機６を床暖房Ａ、第３の床暖房機７を床暖房Ｂ、第３の床暖房機８を床暖房Ｃとして操作するようにあらかじめ設定されている。３つの床暖房機のそれぞれにタイマー１のタイマー選択手段でありかつタイマー設定状態表示手段である切／入アイコン（６ｂａ、７ｂａ、８ｂａ）、タイマー２のタイマー選択手段でありかつタイマー設定状態表示手段である切／入アイコン（６ｂｂ、７ｂｂ、８ｂｂ）と、各床暖房のタイマーのタイマー時刻を変更する画面を呼び出す時刻変更アイコン（６ｂｃ、７ｂｃ、８ｂｃ）を持っており、合計９個のアイコンが１画面に表示される。これらのアイコンを操作することにより、床暖房ごとにタイマーなし、タイマー１モード、タイマー２モード、タイマー１＋２モードの４つのタイマーモードを一つの画面で自在に切り替えることができるようにしており、さらに、タイマー１とタイマー２の選択状態にあわせてそれぞれの切／入アイコンの状態を変更している。
【００４３】
すなわち、タイマー１モードのときはタイマー１の切／入アイコンの色が設定を示す赤色で表示され、タイマー２モードのときはタイマー２の切／入アイコンの色が設定を示す赤色で表示され、タイマー１＋２モードのときはタイマー１とタイマー２の切／入アイコンの色が設定を示す赤色で表示され、それ以外は、非選択を示す白色で表示される。しかし、このように表示手段上に９つのアイコンを表示する場合、タイマーの設定時刻を表示する場所がなく、切時刻、入時刻の確認や、次のタイマー動作の確認をするためには、タイマー変更アイコンを選択して、タイマー変更画面を表示させる必要があった。本実施例のタイマー装置では、タイマー切／入のアイコンを操作してタイマーの設定が変わる度に操作したタイマー切／入アイコンに関連付けて設定時刻を表示しすることにより、設定のたびにタイマー時刻を確認できるようにした。これによって、タイマー１、タイマー２の組み合わせを簡単に変更でき、かつ、時刻も確認できるタイマー手段を実現している。
【００４４】
図１１に設定時刻を表示する画面を示す。床暖房Ａのタイマー１切／入アイコン６ｂａを操作すると、操作のたびに切→入、入→切とタイマー選択が変更され、入と切とで表示色が変化するとともに、タイマー１切／入アイコン６ｂａに関連付けられたタイマー設定状態表示手段６ｂｄが表示され、その上に、床暖房Ａのタイマー１の切時刻と入時刻が表示される。これによって、タイマー切／入アイコン６ｂａを操作するたびに操作されたアイコンによるタイマー動作を確認することができる。表示されたタイマー設定状態表示手段６ｂｄは、一定時間である３秒後に自動的に消去されて再度タイマー設定画面が表示されるので、時刻表示を行うために一時的に他の操作アイコンが表示されなくなっても、操作の邪魔になることはない。このようなタイマー設定状態表示手段は、３つの床暖房機のそれぞれ二つのタイマー切／入アイコンに関連して表示され、操作したアイコンを覆うことがないように、図１１の（ａ）から（ｆ）で示すように、各アイコンごとに表示位置を変化させて表示される（６ｂｄ、６ｂｅ、７ｂｄ、７ｂｅ、８ｂｄ、８ｂｅ）。また、操作したアイコンを明確するためにボタンタイマー設定状態表示手段とを結ぶ図形も表示されている。これにより、表示された設定時刻がどの床暖房機のどのタイマーなのかを明確にした上でタイマー設定時刻を確認できる。
【００４５】
なお、本実施例のタイマー装置は、タイマー切／入アイコンを選択したときに、アイコンにより設定されるタイマーのタイマー時刻を表示するためのタイマー設定状態表示手段を表示するが、図１２に示すように、時刻の表示位置を固定して表示し（６ｂｈ）、タイマー切／入アイコンと矢印（６ｂｆ、６ｂｇ、７ｂｆ、７ｂｇ、８ｂｆ、８ｂｇ）で、表示すると同時に、タイマー設定を変更する画面を呼び出すリンクアイコンを設けてもよい。このようにすることにより、タイマーを入にした時に表示された設定時刻を見て、時刻を変更しようと思ったときに、即座に時刻を変更する画面を呼び出すことができ、使い勝手がよいタイマー装置を提供できる。
【００４６】
また、本実施例のタイマー装置は、タイマー切／入アイコンを選択したときに、アイコンにより設定されるタイマーのタイマー時刻を表示するが、表示すると同時に、タイマー設定を変更する画面を呼び出すリンクアイコンを設けてもよい。このようにすることにより、タイマーを入にした時に表示された設定時刻を見て、時刻を変更しようと思ったときに、即座に時刻を変更する画面を呼び出すことができ、使い勝手がよいタイマー装置を提供できる。
【００４７】
また、本実施例のタイマー装置では、タイマー切／入アイコンを選択したときに、アイコンにより設定されるタイマーのタイマー時刻を表示するが、タイマー１及びタイマー２はそれぞれ異なる表示色を持ち、タイマー時刻を表示する表示のベースの色もタイマーにあわせて表示し、色彩的にタイマーと表示とを関連付ける構成でもよい。例えば、タイマー１を緑、タイマー２を青で表示し、タイマー時刻を表示する表示のベースの色もタイマーにあわせて、タイマー１の設定時刻を表示するときは緑、タイマー２の設定時刻を表示するときは青というように表示する構成でもよい。この構成によって、どのタイマーを設定したのか、そして、今表示しているタイマーがどれかを直感的に認識することができる。なお、タイマー時刻表示とタイマーとを関連付ける方法として表示色について述べたが、表示色に限らず表示パターンでもよい。また、タイマー１とタイマー２の二つの認識について述べたが、さらに床暖房Ａ、床暖房Ｂ、床暖房Ｃの３つを区別しやすくるために行ってもよい。
【００４８】
さらに、本実施例のタイマー装置は、給湯暖房システムの床暖房機に用いた例を記述しているが、これに限らず家電製品や設備製品など複数のタイマーを使用して運転するものであれば、いかなるものにも適用できる。ただし、床暖房機には運転開始から部屋が暖かくなるまでには１０〜２０分のタイムラグが発生してしまうという欠点があり、この欠点を補うためにタイマー運転が多く利用されており、生活のパターンに合わせて様々な設定が行われる。したがって、床暖房機に使用する場合には、複数のタイマーの設定内容が直感的に分かりやすく、設定しやすいという特徴を持つ本発明のタイマー装置は特に有効である。
【産業上の利用可能性】
【００４９】
以上のように、本発明にかかるタイマー装置は、複数のタイマー手段のそれぞれの設定内容を一度に判りやすく確認できるので、設定内容を容易に認識することができ、家電製品や設備製品など複数のタイマーを使用して運転するものであれば、いかなるものにも適用できる。
【図面の簡単な説明】
【００５０】
【図１】本発明の実施の形態１におけるタイマー手段を用いた温水給湯暖房システムの構成図
【図２】同システムの台所リモコンの構成図
【図３】同システムの浴室リモコンの構成図
【図４】同システムの熱源機の構成図
【図５】（ａ）同システムの浴室暖房リモコンの構成図（ｂ）同システムの浴室暖房機の構成図
【図６】（ａ）同システムの第１の床暖房機の床暖房リモコンの構成図（ｂ）同システムの第１の床暖房機の構成図
【図７】（ａ）同システムの第２の床暖房機を示す図（ｂ）同システムの第３の床暖房機を示す図（ｃ）同システムの第４の床暖房機の構成図
【図８】同システムの床暖房機リモコンの外観図
【図９】同システムの床暖房機リモコンの操作フローチャート
【図１０】同システムの床暖タイマー設定画面の表示図
【図１１】（ａ）同システムの床暖タイマー設定画面における床暖房Ａのタイマー１操作時のタイマー設定状態表示手段の表示図（ｂ）同システムの床暖タイマー設定画面における床暖房Ａのタイマー２操作時のタイマー設定状態表示手段の表示図（ｃ）同システムの床暖タイマー設定画面における床暖房Ｂのタイマー１操作時のタイマー設定状態表示手段の表示図（ｄ）同システムの床暖タイマー設定画面における床暖房Ｂのタイマー２操作時のタイマー設定状態表示手段の表示図（ｅ）同システムの床暖タイマー設定画面における床暖房Ｃのタイマー１操作時のタイマー設定状態表示手段の表示図（ｆ）同システムの床暖タイマー設定画面における床暖房Ｃのタイマー２操作時のタイマー設定状態表示手段の表示図
【図１２】（ａ）同システムの別案における床暖タイマー設定画面における床暖房Ａのタイマー１操作時のタイマー設定状態表示手段の表示図（ｂ）同システムの別案における床暖タイマー設定画面における床暖房Ａのタイマー２操作時のタイマー設定状態表示手段の表示図（ｃ）同システムの別案における床暖タイマー設定画面における床暖房Ｂのタイマー１操作時のタイマー設定状態表示手段の表示図（ｄ）同システムの別案における床暖タイマー設定画面における床暖房Ｂのタイマー２操作時のタイマー設定状態表示手段の表示図（ｅ）同システムの別案における床暖タイマー設定画面における床暖房Ｃのタイマー１操作時のタイマー設定状態表示手段の表示図（ｆ）同システムの別案における床暖タイマー設定画面における床暖房Ｃのタイマー２操作時のタイマー設定状態表示手段の表示図
【図１３】従来のタイマー手段を用いた給湯暖房機における床暖房リモコンの外観図
【図１４】従来のタイマー手段を用いた床暖房リモコンの表示手段の表示図
【図１５】従来のタイマー手段を用いた床暖房リモコンの表示手段の表示図
【符号の説明】
【００５１】
１  台所リモコン（情報端末）
４  浴室暖房機（端末機器）
５  床暖房機（端末機器）
５ｂｂａ  第１のタイマー手段（複数のタイマー手段）
５ｂｂｂ  第２のタイマー手段（複数のタイマー手段）
５ｂｃ  床暖房表示手段（表示手段）
５ｂｃｂ  選択タイマー表示部
５ｂｃｃ  タイマー設定時刻表示部
５ｂｃｄ  現在時刻表示手段
５ｂｄｂ  タイマー運転ボタン（タイマー選択手段）
５ｂｄｅ  時刻設定タイマー選択手段
５ｂｆ  計時手段（現在時刻認知手段）
６ｄａ  床暖房Ａのタイマー１の切／入アイコン（タイマー選択手段、選択状態表示手段）
６ｄｂ  床暖房Ａのタイマー２の切／入アイコン（タイマー選択手段、選択状態表示手段）
６ｄｄ  床暖房Ａのタイマー１のタイマー設定状態表示手段
６ｄｅ  床暖房Ａのタイマー２のタイマー設定状態表示手段
７ｄａ  床暖房Ｂのタイマー１の切／入アイコン（タイマー選択手段、選択状態表示手段）
７ｄｂ  床暖房Ｂのタイマー２の切／入アイコン（タイマー選択手段、選択状態表示手段）
７ｄｄ  床暖房Ｂのタイマー１のタイマー設定状態表示手段
７ｄｅ  床暖房Ｂのタイマー２のタイマー設定状態表示手段
８ｄａ  床暖房Ｃのタイマー１の切／入アイコン（タイマー選択手段、選択状態表示手段）
８ｄｂ  床暖房Ｃのタイマー２の切／入アイコン（タイマー選択手段、選択状態表示手段）
８ｄｄ  床暖房Ｃのタイマー１のタイマー設定状態表示手段
８ｄｅ  床暖房Ｃのタイマー２のタイマー設定状態表示手段
１１  熱源機制御通信手段（通信手段）
１２  機器通信手段（通信手段）
【図１】
2005315690.tif 000003
【図２】
2005315690.tif 000004
【図３】
2005315690.tif 000005
【図４】
2005315690.tif 000006
【図５】
2005315690.tif 000007
【図６】
2005315690.tif 000008
【図７】
2005315690.tif 000009
【図８】
2005315690.tif 000010
【図９】
2005315690.tif 000011
【図１０】
2005315690.tif 000012
【図１１】
2005315690.tif 000013
【図１２】
2005315690.tif 000014
【図１３】
2005315690.tif 000015
【図１４】
2005315690.tif 000016
【図１５】
2005315690.tif 000017